(57)【要約】      （修正有）【課題】シンプルな構造で組み立てやすく、繰り返し使用されてもチャイルドレジスタンス性が低下しにくいＰＴＰ用包装体を提供する。【解決手段】台紙は、３つの外板１４，１６，１８と、折罫線３０で区切られて互いに連続する２つの内板（ＰＴＰシート保持板２０、内板２２）とを備える。台紙を組み立てた状態で、前面板３２及び背面板３４の両側端部が互いに連続した外筒体３６が形成され、前面板に、ＰＴＰシート１の突出部２ａが係合可能な大きさの透孔が開口する。ＰＴＰシート保持板２０と内板２２は、折罫線３０が折り曲げられて重なり合った状態で前面板３２及び背面板３４の間に配置される。ＰＴＰシート保持板２０は、前面板３２に対向し、折罫線３０の折り曲げに対する反発力によって前面板の方向に付勢される。ＰＴＰシート１は、ＰＴＰシート保持板と前面板の間にセットされる。【選択図】図４
0003212329.tif 000002
【実用新案登録請求の範囲】
【請求項１】
収容物を内側に収容した突出部と前記突出部の周囲に設けられたフランジ部とを有するプラスチック成形体に、破断可能な薄形シートが貼り付けられて前記突出部の開口端が閉鎖されたＰＴＰシートを包装するためのＰＴＰ用包装体において、
１枚の台紙から成り、前記台紙は、複数の外板と、折罫線で区切られて互いに連続する複数の内板とを有し、
組み立て状態で、前記複数の外板により、前面板及び背面板の両側端部が互いに連続した外筒体が形成され、前記前面板に、前記ＰＴＰシートの前記突出部が係合可能な大きさの透孔が開口し、前記複数の内板は、前記折罫線が折り曲げられて重なり合った状態で前記前面板及び前記背面板の間に配置され、前記複数の内板の中の１つであるＰＴＰシート保持板が前記前面板に対向し、前記ＰＴＰシート保持板は、前記折罫線の折り曲げに対する反発力によって前記前面板の方向に付勢され、
前記ＰＴＰシートは、前記ＰＴＰシート保持板と前記前面板の間にセットされると、前記突出部が前記透孔から突出し、前記フランジ部及び前記薄形シートが前記ＰＴＰシート保持板及び前記前面板によって挟持されることを特徴とするＰＴＰ用包装体。
【請求項２】
前記台紙には、前記３つの外板である第一の外板、第二の外板及び第三の外板が順に連接され、前記第三の外板の連接方向の端部に前記２つの内板が順に連接され、
組み立て状態で、前記２つの内板が前記第二及び第三の外板の間に配置され、前記第一の外板が第三の外板の外面に糊付けされている請求項１記載のＰＴＰ用包装体。
【請求項３】
前記外筒体は、２つの開口端のうちの少なくとも一方に、前記ＰＴＰシートを摘まむための摘み部を有し、前記摘み部は、前記前面板の端部及び前記背面板の端部の重なる位置を一対に切り欠くことによって設けられ、
前記ＰＴＰシートがセットされた状態で、前記フランジ部及び前記薄形シートの端部が前記摘み部から露出する請求項１又は２記載のＰＴＰ用包装体。
【考案の詳細な説明】
【技術分野】
【０００１】
本考案は、医療用の薬剤等が入ったＰＴＰシートの包装に使用されるＰＴＰ用包装体に関する。
【背景技術】
【０００２】
ＰＴＰシートは、医療用の薬剤等を収容する用途に広く使用されている。例えば、図７（ａ）、（ｂ）、（ｃ）に示すＰＴＰシート１は、突出部２ａとその周囲を繋ぐフランジ部２ｂとを有したプラスチック成形体２と、アルミ箔等で成る薄形シート３とで構成され、プラスチック成形体２のフランジ部２ｂに薄形シート３を貼り付けることによって、収容物Ｓが入った突出部２ａの開口部を閉鎖している。突出部２ａの頂部を外側から指で押し込むと、薄形シート３の閉鎖部分３ａが収容物Ｓに押されて破断して収容物Ｓが外に押し出され、収容物Ｓを取り出すことができる。ＰＴＰシート１は１０個の突出部２ａを有するタイプで、外形は、例えば約４ｃｍ×１０ｃｍである。
【０００３】
従来から、小さい子供による薬剤の誤飲を防止等するため、薬剤が入ったＰＴＰシートを所定の包装体で包装し、中の薬剤を不用意に取り出せなくする技術（チャイルドレジスタンス性を付与する技術）が提案されている。
【０００４】
例えば、特許文献１に開示されているように、正面パネルと背面パネルとを有し、背面パネルが正面パネルの裏面側に重ね合わされて接着され、２つのパネルの間にＰＴＰシートがセットされる構造のブリスター収納体があった。正面パネルの中央部には、ＰＴＰシートの全ての突出部が通過でき、フランジ部が通過できない大きさの四角形の窓部が開口している。正面パネルの上部には、ＰＴＰシートのフランジ部の下端両側を差し込むための差し込み口が一対の切り込み線により設けられ、一対の切り込み線は、窓部の上部に連続し、窓部の周縁部の、一対の切り込み線の間に挟まれた部分が係止片となる。また、背面パネルの上部の窓部と重なる位置に、指通し孔が開口している。
【０００５】
ＰＴＰシートは、差し込み口からブリスター収納体の内側に入れられ、突出部が窓部から突出した状態で、フランジ部及び薄型シートが正面パネルと背面パネルの間に挟持される。
【０００６】
このブリスター収納体を小児が手に取り、ＰＴＰシートを差し込み口の方向にスライドさせたとしても、フランジ部の端面が係止片の端面に係止され移動できなくなるので、ＰＴＰシートを取り出すことができない。フランジ部が係止片に係止されないようにするためには、指差し孔に指を入れてＰＴＰシートを押し上げればよい。したがって、大人であれば、ＰＴＰシートを指で押し上げる操作とスライドさせる操作を同時に行い、簡単にＰＴＰシートを取り出すことができる。
【先行技術文献】
【特許文献】
【０００７】
【特許文献１】特開２０１６−３７３０６号公報
【考案の概要】
【考案が解決しようとする課題】
【０００８】
しかし、特許文献１のブリスター収容体の場合、ＰＴＰシートの出し入れが何回か繰り返されるうちに、係止片の端面が変形したり摩耗したりする可能性が高い。係止片は、非常に薄いフランジ部を係止しなければならないので、係止片の端面が少しでも変形するとフランジ部を確実に係止できなくなる。したがって、このブリスター収容体は、使用開始から比較的短時間のうちにチャイルドレジスタンス性が低下してしまうという問題があった。
【０００９】
本考案は、上記背景技術に鑑みて成されたものであり、シンプルな構造で組み立てやすく、繰り返し使用されてもチャイルドレジスタンス性が低下しにくいＰＴＰ用包装体を提供することを目的とする。
【課題を解決するための手段】
【００１０】
本考案は、収容物を内側に収容した突出部と前記突出部の周囲に設けられたフランジ部とを有するプラスチック成形体に、破断可能な薄形シートが貼り付けられて前記突出部の開口端が閉鎖されたＰＴＰシートを包装するためのＰＴＰ用包装体であって、
１枚の台紙から成り、前記台紙は、複数の外板と、折罫線で区切られて互いに連続する複数の内板とを有し、
組み立て状態で、前記複数の外板により、前面板及び背面板の両側端部が互いに連続した外筒体が形成され、前記前面板に、前記ＰＴＰシートの前記突出部が係合可能な大きさの透孔が開口し、前記複数の内板は、前記折罫線が折り曲げられて重なり合った状態で前記前面板及び前記背面板の間に配置され、前記複数の内板の中の１つであるＰＴＰシート保持板が前記前面板に対向し、前記ＰＴＰシート保持板は、前記折罫線の折り曲げに対する反発力によって前記前面板の方向に付勢され、
前記ＰＴＰシートは、前記ＰＴＰシート保持板と前記前面板の間にセットされると、前記突出部が前記透孔から突出し、前記フランジ部及び前記薄形シートが前記ＰＴＰシート保持板及び前記前面板によって挟持されるＰＴＰ用包装体である。
【００１１】
前記台紙には、前記３つの外板である第一の外板、第二の外板及び第三の外板が順に連接され、前記第三の外板の連接方向の端部に前記２つの内板が順に連接され、組み立て状態で、前記２つの内板が前記第二及び第三の外板の間に配置され、前記第一の外板が第三の外板の外面に糊付けされている構成にすることが好ましい。
【００１２】
また、前記外筒体は、２つの開口端のうちの少なくとも一方に、前記ＰＴＰシートを摘まむための摘み部を有し、前記摘み部は、前記前面板の端部及び前記背面板の端部の重なる位置を一対に切り欠くことによって設けられ、前記ＰＴＰシートがセットされた状態で、前記フランジ部及び前記薄形シートの端部が前記摘み部から露出する構成にすることが好ましい。
【考案の効果】
【００１３】
本考案のＰＴＰ用包装体は、ＰＴＰシートを簡単に包装できるシンプルな構造であり、優れたチャイルドレジスタンス性も備えている。特に、各板の大きさや形状を変更することによって、ＰＴＰシートの取り出しにくさ（又は取り出しやすさ）を自在に調節できるので、チャイルドレジスタンス性と大人にとっての使いやすさとをバランスよく設定することができる。また、従来の構造よりも耐久性が高く、繰り返し使用されてもチャイルドレジスタンス性が低下しにくい。
【図面の簡単な説明】
【００１４】
【図１】本考案のＰＴＰ用包装体の一実施形態の組み立て状態を示す斜視図（ａ）、開口端側から見た図（ｂ）である。
【図２】この実施形態のＰＴＰ用包装体を構成する台紙を表面側から見た展開図である。
【図３】この実施形態のＰＴＰ用包装体を使用者が片方の手で把持した様子を示す図である。
【図４】この実施形態のＰＴＰ用包装体にＰＴＰシートを収容するときの操作を順に示す図（ａ）、（ｂ）、（ｃ）である。
【図５】この実施形態のＰＴＰ用包装体にＰＴＰシートが収容された状態を示す斜視図（ａ）、開口端側から見た図（ｂ）である。
【図６】この実施形態のＰＴＰ用包装体の、ＰＴＰシートの取り出しにくさを調節する方法の例を示す図である。
【図７】一般的なＰＴＰシートの一例を示す正面図（ａ）、背面図（ｂ）、Ｂ−Ｂ断面図（ｃ）である。
【考案を実施するための形態】
【００１５】
以下、本考案のＰＴＰ用包装体の一実施形態について、図面に基づいて説明する。この実施形態のＰＴＰ用包装体１０は、上記のＰＴＰシート１を包装するための包装体であり、厚紙等のブランクシートを打ち抜いた１枚の台紙１２を組み立てることによって形成され、組み立て状態で、図１（ａ）、（ｂ）に示す外観となる。
【００１６】
台紙１２には、図２に示すように、第一の外板１４、第二の外板１６及び第三の外板１８が順に連接され、第三の外板１８の連接方向の端部に２つの内板２０，２２が順に連接され、各々折罫線２４，２６，２８，３０で区切られている。
【００１７】
３つの外板１４，１６，１８は、ほぼ同じ大きさ長方形であり、ＰＴＰシート１の外形より大きい。各外板１４，１６，１８の、連接方向に対して直角な一端部（後述する外筒体３６の開口端３６ａの一部となる端部）のほぼ中央に、それぞれＵ字状切り欠き１４ａ，１６ａ，１８ａが設けられている。また、第二の外板１６の内側に、ＰＴＰシート１の外形に合わせ、突出部２ａが係合可能な大きさの透孔１６ｂが複数設けられている。
【００１８】
第三の外板１８に隣接する内板２０は、形状が略長方形で、連接している幅方向の長さが第三の外板１８とほぼ同じであり、連接方向の長さは、第三の外板１８の連接方向長さの約2/3である。また、連接方向に対して直角な一端部（後述する外筒体３６の開口端３６ａの一部となる端部）には、所定形状の切り欠き２０ａが設けられている。内板２０は、組み立て状態で、折罫線２８で折り曲げられて第三の外板１８に重なる板であり、切り欠き２０ａは、内板２０が第三の外板１８に重なったとき、Ｕ字状切り欠き１８ａを塞がないようにするために設けられている。以下、内板２０を、ＰＴＰシート保持板２０と称する。
【００１９】
もう１つの内板２２は、外形が等脚台形状で、連接している幅方向の長さが内板２０から離れるほど狭くなっている。連接方向長さは、内板２０の連接方向長さの約7/10である。
【００２０】
台紙１２を組み立てるときは、まず、折罫線３０を正折り（表面側が凸になる折り方。以下、同じ。）して内板２２をＰＴＰシート保持板２０に重ね、折罫線２８を正折りしてＰＴＰシート保持板２０及び内板２２を第三の外板１８に重ね、さらに、折罫線２６を正折りしてＰＴＰシート保持板２０、内板２２及び第三の外板１８を第二の外板１６に重ねる。そして、第一の外板１４の裏面に糊を塗布した後、折罫線２４を正折りし、第一の外板１４の裏面を第三の外板１８に糊付けする。これで組み立て作業が終了し、図１（ａ）、（ｂ）に示す状態になる。
【００２１】
組み立て状態のＰＴＰ用包装体１０は、前面板３２及び背面板３４の両側端部が互いに連続した外筒体３６の内側に、ＰＴＰシート保持板２０及び内板２２が配置された構造になる。
【００２２】
外筒体３６の前面板３２は第二の外板１６により形成され、内側に複数の透孔１６ｂが開口する。背面板３４は第一及び第三の外板１４，１８が互いに糊付けされて一体に形成される。また、外筒体３６の、ＰＴＰシートを出し入れする方の開口端３６ａには、前面板３２及び背面板３４の切り欠き１４ａ，１６ａ，１８ａが重なるように配置され、摘み部３８が形成される。摘み部３８は、後述する操作方法の通り、内側に収容されたＰＴＰシート１を指で摘まみやすくするための部分である。
【００２３】
ＰＴＰシート保持板２０及び内板２２は、折罫線３０が折り曲げられて重なり合った状態で、前面板３２及び背面板３４の間に配置され、ＰＴＰシート保持板２０が前面板３２の内面に対向する。そして、ＰＴＰシート保持板２０は、折罫線３０の折り曲げに対する反発力によって前面板３２の方向に付勢され、図１（ｂ）に示すように、前面板３２の内面に当接する。
【００２４】
ＰＴＰ用包装体１０にＰＴＰシート１をセットするときは、まず、例えば図３に示すように、ＰＴＰ用包装体１０を片方の手で把持する。そして、図４（ａ）に示すように、外筒体３６の両側端部（折罫線２４，２６の位置）を接近させるように押圧する操作を行い、前面板３２及び背面板３４を各々外向きに湾曲させる。このとき、前面板３２が湾曲しても、ＰＴＰシート保持板２０は、折罫線３０の折り曲げに対する反発力によって前面板３２の方向に付勢されているので、前面板３２に当接したまま離れない。
【００２５】
次に、図４（ｂ）に示すように、反対側の手の指でＰＴＰシート保持板２０を背面板３４の方向に押し下げて前面板３２とＰＴＰシート保持板２０の間に空間を作り、この空間にＰＴＰシート１を差し込む。その後、ＰＴＰシート保持板２０を背面板３４の方向に押圧する操作を止めると、図４（ｃ）に示すように、ＰＴＰシート保持板２０が付勢されて前面板３２の方向に移動する。さらに、外筒体３６の両側端部（折罫線２４，２６の位置）を押圧する操作を止めると、図５（ａ）、（ｂ）に示す状態になり、ＰＴＰシート１をセットする作業が終了する。
【００２６】
ＰＴＰシート１がＰＴＰ用包装体１０にセットされると、ＰＴＰシート１は、突出部２ａが前面板３２の透孔１６ｂから突出し、フランジ部２ｂ及び薄形シート３の広い領域が、ＰＴＰシート保持板２０及び前面板３２によって挟持される。また、フランジ部２ｂ及び薄形シート３の端部が、外筒体３６の開放端３６ａに設けられた摘み部３８から露出する。
【００２７】
この状態で、小児がＰＴＰシート１の端部（摘み部３８から露出している部分）を摘まんで引っ張ったとしても、突出部２ａが前面板３２の透孔１６ｂに係合しているため、ＰＴＰシート１を引き抜くことはできない。
【００２８】
大人がＰＴＰシート１を取り出すときは、セットするときの行った作業を、順番を逆にして行う。まず、ＰＴＰ用包装体１０を片方の手に持ち、図４（ｃ）に示すように、外筒体３６の両側端部（折罫線２４，２６の位置）を接近させるように押圧する操作を行い、前面板３２及び背面板３４を各々外向きに湾曲させる。このとき、前面板３２が湾曲してＰＴＰシート１が前面板３２から少し離れるが、ＰＴＰシート保持板２０が前面板３２の方向に付勢されているので、ＰＴＰシート１の突出部２ａが前面板３２の透孔１６ｂから完全に抜けることはない。
【００２９】
次に、反対側の手の指でＰＴＰシート１の端部（摘み部３８から露出している部分）を摘まんでＰＴＰシート１及びＰＴＰシート保持板２０を背面板３４の方向に押し下げ、図４（ｂ）に示すように、突出部２ａと透孔１６ｂの係合を解除させる。そして、ＰＴＰシート１を引っ張ることによって、簡単にＰＴＰシート１を取り出すことができる。
【００３０】
一般に、チャイルドレジスタンス性と大人にとっての使いやすさを両立させることは相反する要求であるが、このＰＴＰ用包装体１０の場合、台紙１２の各板のサイズを変更することによって、相反する特性のバランスを容易かつ適切に調節することができる。例えば図６は、３つの外板１４，１６，１８の連接方向長さ（寸法ａ）を少しずつ変化させた４種類の台紙１２(1)〜１２(4)を示している。ＰＴＰシート保持板２０及び内板２２の各連接方向長さ（寸法ｂ，ｃ）は、寸法ａに合わせて微調整してある。
【００３１】
台紙１２(1)のように寸法ａを長くすると、ＰＴＰ用包装体１０を図３のように把持して握ったとき、握力が弱い大人（例えばお年寄り）でも前面板３２及び背面板３４を湾曲させることができるので、ＰＴＰシート１を容易に出し入れすることができる。反対に、台紙１２(4)のように寸法ａを短くすると、握力が強い大人（例えば若い男性）でないと前面板３２及び背面板３４を湾曲させることができないので、ＰＴＰシート１の出し入れが少し難しくなる。したがって、大人にとっての使いやすさを考えると、寸法ａは、大人が片手で握れる範囲で、少し長めにしておくことが好ましい。
【００３２】
一方、弱い握力で前面板３２及び背面板３４を湾曲させることができるようにすると、小児が簡単にＰＴＰシート１を取り出せるのではないかと心配になる。しかし、小児の手は小さいので、寸法ａがある程度長ければＰＴＰ用包装体１０を片手で握ることができず、仮に両手を使って前面板３２及び背面板３４を湾曲させたとしても、両手が塞がっているのでＰＴＰシート１を摘まんで引き抜く操作ができないので、十分なチャイルドレジスタンス性を実現することができる。
【００３３】
以上説明したように、ＰＴＰ用包装体１０は、ＰＴＰシート１を簡単に包装できるシンプルな構造であり、優れたチャイルドレジスタンス性も備えている。特に、図６に示すように各板の大きさを変更することによって、ＰＴＰシート１の取り出しにくさ（又は取り出しやすさ）を自在に調節できるので、チャイルドレジスタンス性と大人にとっての使いやすさとをバランスよく設定することができる。また、従来の構造よりも耐久性が高く、繰り返し使用されてもチャイルドレジスタンス性が低下しにくい。
【００３４】
なお、本考案のＰＴＰ用包装体は、上記実施形態に限定されるものではない。例えば、外筒体３６を形成する外板の数は、適宜変更することができる。例えば、上記ＰＴＰ用包装体１２の場合、前面板３２は１枚の外板（第二の外板１６）で形成しているが、背面板３４は２枚の外板（第一及び第三の外板１４，１８）を重ねることによって補強してある。これは、背面板３４の特定部分が常に内板２２の先端部で押圧されるので、背面板３４が折れ曲がったり変形したりするのを防止するためである。しかし、背面板を補強する必要がなければ、例えば、前面板３２及び背面板３４を各々１枚の外板１６，１８で形成し、第一の外板１４を小さくして外筒体３６を形成するための糊付け片として使用する構造にしてもよい。
【００３５】
また、前面板３２の複数の透孔１６ｂが互いに近接していると、前面板３２及び背面板３４を湾曲させる操作を行ったときに前面板３２が折れ曲がりやすくなるので、この場合は前面板を補強することが好ましい。例えば、台紙１２の状態で、第一の外板１４の連接方向の端部（第二の外板１６と反対側の端部）に、第二の外板１６と同様のレイアウトの第四の外板を追加し、組み立て状態で、第四の外板を第二の外板１６の表面に重ねて糊付けし、第二及び第四の外板で成る前面板を設けるとよい。
【００３６】
その他、ＰＴＰ用包装体１０を握ったときの前面板３２及び背面板３４の湾曲のしやすさの調節は、図６に示すように各板のサイズを変更するという方法で行ってもよいが、前面板及び背面板を形成する外板の枚数を増減するという方法で行うことも可能である。
【００３７】
上記ＰＴＰ用包装体１０は、２枚の内板（ＰＴＰシート保持板２０、内板２２）を有し、ＰＴＰシート保持板１０を１枚の内板で付勢しているが、付勢力を適宜調節するため、ＰＴＰシート保持板１０を複数枚の内板で付勢するようにしてもよい。
【００３８】
その他、台紙の素材は自由に選択することができ、厚紙の他、例えば透明なプラスチックシート等を用いてもよい。また、ＰＴＰシートに入れられる収容物は、医療用の薬剤に限らず、他の商品でもよい。
【符号の説明】
【００３９】
１  ＰＴＰシート
２  プラスチック成形体
２ａ  突出部
２ｂ  フランジ部
３  薄形シート
３ａ  閉鎖部分
１０  ＰＴＰ用包装体
１２  台紙
１４  第一の外板
１６  第二の外板
１８  第三の外板
２０  ＰＴＰシート保持板（内板）
２２  内板
３０  折罫線
３２  前面板
３４  背面板
３６  外筒体
３８  摘み部
【図１】
0003212329.tif 000003
【図２】
0003212329.tif 000004
【図３】
0003212329.tif 000005
【図４】
0003212329.tif 000006
【図５】
0003212329.tif 000007
【図６】
0003212329.tif 000008
【図７】
0003212329.tif 000009
【手続補正書】
【提出日】平成29年7月5日(2017.7.5)
【手続補正１】
【補正対象書類名】明細書
【補正対象項目名】００１１
【補正方法】変更
【補正の内容】
【００１１】
前記複数の外板は、第一の外板、第二の外板、及び第三の外板の３つの外板から成り、前記複数の内板が２つの内板から成り、前記台紙には、前記３つの外板である第一の外板、第二の外板及び第三の外板が順に連接され、前記第三の外板の連接方向の端部に前記２つの内板が順に連接され、組み立て状態で、前記２つの内板が前記第二及び第三の外板の間に配置され、前記第一の外板が第三の外板の外面に糊付けされている構成にすることが好ましい。
【手続補正２】
【補正対象書類名】実用新案登録請求の範囲
【補正対象項目名】請求項２
【補正方法】変更
【補正の内容】
【請求項２】
前記複数の外板は、第一の外板、第二の外板、及び第三の外板の３つの外板から成り、
前記複数の内板が２つの内板から成り、
前記台紙には、前記３つの外板である第一の外板、第二の外板及び第三の外板が順に連接され、前記第三の外板の連接方向の端部に前記２つの内板が順に連接され、
組み立て状態で、前記２つの内板が前記第二及び第三の外板の間に配置され、前記第一の外板が第三の外板の外面に糊付けされている請求項１記載のＰＴＰ用包装体。